(57)【要約】【課題】  起動性に優れ、容易に制御することができ、また小型化を図ることができる燃料改質器及び電気化学エネルギー生成システムを提供すること。【解決手段】  燃料供給部７と、燃料３を触媒的に分解して水素４を取り出すための光触媒を含む触媒層５と、この触媒層５を光照射する発光ダイオード等の光源６とを有する、燃料改質器１。燃料供給部７と、燃料３を触媒的に分解して水素４を取り出すための光触媒を含む触媒層５と、この触媒層５を光照射する発光ダイオード等の光源６とを有する、燃料改質器１と；触媒層５から導出された水素４が供給される電気化学デバイス（燃料電池）９と；を有する、電気化学エネルギー生成システム２９。【選択図】          図１
2005343716.tif 000002
【特許請求の範囲】
【請求項１】
燃料供給部と、燃料を触媒的に分解して水素を取り出すための光触媒を含む触媒層と、この触媒層を光照射する光源とを有する、燃料改質器。
【請求項２】
前記光源が、前記触媒層と非接触状態、又は接触若しくは近接状態で設置されている、請求項１に記載した燃料改質器。
【請求項３】
筐体内に前記触媒層が配置され、前記筐体の壁部又は光透過性の壁部外に前記光源が設置されている、請求項２に記載した燃料改質器。
【請求項４】
筐体内に前記触媒層が配置され、前記触媒層と接触若しくは近接して前記筐体内に前記光源が設置されている、請求項２に記載した燃料改質器。
【請求項５】
前記光源が発光ダイオードである、請求項１に記載した燃料改質器。
【請求項６】
電気化学デバイスに接続され、前記触媒層から導出された水素が前記電気化学デバイスに供給される、請求項１に記載した燃料改質器。
【請求項７】
電気化学デバイス内の機能層に接して配され、前記触媒層から導出された水素が前記機能層に供給される、請求項１に記載した燃料改質器。
【請求項８】
前記機能層が水素分解触媒層である、請求項７に記載した燃料改質器。
【請求項９】
前記電気化学デバイスが、対向電極間にプロトン伝導体が挟持されてなる、請求項６又は７に記載した燃料改質器。
【請求項１０】
前記電気化学デバイスが燃料電池として構成されている、請求項９に記載した燃料改質器。
【請求項１１】
燃料供給部と、燃料を触媒的に分解して水素を取り出すための光触媒を含む触媒層と  、この触媒層を光照射する光源とを有する、燃料改質器と；
前記触媒層から導出された水素が供給される電気化学デバイスと
を有する、電気化学エネルギー生成システム。
【請求項１２】
前記光源が、前記触媒層と非接触状態、又は接触若しくは近接状態で設置されている、請求項１１に記載した電気化学エネルギー生成システム。
【請求項１３】
筐体内に前記触媒層が配置され、前記筐体の壁部又は光透過性の壁部外に前記光源が設置されている、請求項１２に記載した電気化学エネルギー生成システム。
【請求項１４】
筐体内に前記触媒層が配置され、前記触媒層と接触若しくは近接して前記筐体内に前記光源が設置されている、請求項１２に記載した電気化学エネルギー生成システム。
【請求項１５】
前記光源が発光ダイオードである、請求項１１に記載した電気化学エネルギー生成システム。
【請求項１６】
前記燃料改質器が前記電気化学デバイスに接続されている、請求項１１に記載した電気化学エネルギー生成システム。
【請求項１７】
前記燃料改質器が前記電気化学デバイス内の機能層に接して配され、前記触媒層から導出された水素が前記機能層に供給される、請求項１１に記載した電気化学エネルギー生成システム。
【請求項１８】
前記機能層が水素分解触媒層である、請求項１７に記載した電気化学エネルギー生成システム。
【請求項１９】
前記電気化学デバイスが、対向電極間にプロトン伝導体が挟持されてなる、請求項１６又は１７に記載した電気化学エネルギー生成システム。
【請求項２０】
前記電気化学デバイスが燃料電池として構成されている、請求項１９に記載した電気化学エネルギー生成システム。
【発明の詳細な説明】
【技術分野】
【０００１】
本発明は、燃料から水素を取り出す燃料改質器、及び電気化学エネルギー生成システムに関するものである。
【背景技術】
【０００２】
燃料電池用の燃料として、メタノール等の液体燃料が用いられている。中でも、燃料電池のＭＥＡ（Membrane Electrode Assembly）に直接メタノールを導入するダイレクトメタノール方式が多く提案されている。
【０００３】
ダイレクトメタノール方式では、メタノールと水が理論的には１：１（モル比）で燃料となるが、プロトン伝導体がメタノールをも透過してしまうため、通常はそのようなメタノール濃度にすることができず、実用的にはメタノールを濃度１ｍｏｌ／ｌ程度まで薄めてＭＥＡに供給する。このため、メタノール濃度の制御技術の確立が求められており、また、反応時に生成される水の回収技術の確立も必要となる。また、スタック出力が低いことや、プロトン伝導体が燃料を透過してしまい（メタノールクロスオーバー現象）、燃料がリークし、カソードの反応速度が遅くなるという問題点があった。
【０００４】
一方、ＭＥＡの他に、改質器を別に設ける改質方式が提案されている。燃料ガスの改質方法としては、加熱条件下で燃料ガスと水蒸気を反応させる水蒸気改質反応、酸化剤によって燃焼させる部分酸化反応や酸素と直接反応させる直接反応などが知られている（例えば、後記の特許文献１又は特許文献２参照。）。
【０００５】
図６は、後記の特許文献２による改質装置の概略図である。この改質装置は、熱源として略筒状の燃焼室５０を備え、その周囲には改質原料を水蒸気改質して水素を主成分とする改質ガスを生成させる改質反応部５１が隣接されている。この改質反応部５１の周囲には、この改質反応部５１で生成した改質ガス中に含まれるＣＯを水性シフト反応により低減させるシフト反応部５２と、このシフト反応部５２にて処理した後の改質ガス中に含まれるＣＯを酸化して更に低減させるＣＯ酸化部５３が配置されている。
【０００６】
燃焼室５０は、略円筒形に形成されていて改質装置の中心部に配置されている。燃焼室５０は軸方向を上下として上方にて開口し、下方には燃焼手段５８としてバーナー５８ａを備えている。
【０００７】
改質反応部５１は、燃焼室５０の外周に沿って環状の層をなすガス流路内に改質触媒を充填し形成されたもので、燃焼室５０から直接加熱されるようになっている。また、改質反応部５１には改質原料及び水蒸気を供給するための原料供給路５５が設けられている。原料供給路５５は、改質反応部５１の下端に接続されている。ここで、前記改質触媒は、改質原料と水蒸気の混合気を高温下で接触させることで水素を主成分とする改質ガスを生成させる、いわゆる水蒸気改質反応を起こすもので、例えばＮｉ、Ｒｈ、Ｒｕ等の金属をアルミナやジルコニアなどからなる担体に担持させたものを用いることができる。
【０００８】
改質反応部５１では、改質触媒の粒子間の隙間を改質原料及び水蒸気の混合気が通り抜けることができるようになっており、このとき上記混合気が改質触媒に接触することにより水蒸気改質反応が行われ、水素を主成分とする改質ガスが生成する。
【０００９】
【特許文献１】特許第３４９０８３９号公報（３頁５欄１行目〜５頁９欄９行目、図１〜図３）
【特許文献２】特許第３４０３４１６号公報（７頁１３欄４０行目〜８頁１６欄１８行目、図１）
【発明の開示】
【発明が解決しようとする課題】
【００１０】
しかしながら、上述した従来例による改質装置は、改質触媒の活性化に熱源５８を必要とし、燃焼室５０から隔離壁５９を経て改質反応部５１に熱を伝えるため、熱ロスが発生し、熱伝達が遅れることにより起動性が劣ることや、温度の制御が難しく、改質容器内の温度が部分的に高温になり易いことなどの問題点を有している。更に、熱源５８及び隔離壁５９のような付帯設備を必要とすることから、燃料改質装置の小型化に対しては大きな障壁となることが考えられた。
【００１１】
本発明は、上述したような問題点を解決するためになされたものであって、その目的は、起動性に優れ、容易に制御することができ、また小型化を図ることができる燃料改質器及び電気化学エネルギー生成システムを提供することにある。
【課題を解決するための手段】
【００１２】
即ち、本発明は、燃料供給部と、燃料を触媒的に分解して水素を取り出すための光触媒を含む触媒層と、この触媒層を光照射する光源とを有する、燃料改質器に係るものである。
【００１３】
また、燃料供給部と、燃料を触媒的に分解して水素を取り出すための光触媒を含む触媒層と、この触媒層を光照射する光源とを有する、燃料改質器と；
前記触媒層から導出された水素が供給される電気化学デバイスと
を有する、電気化学エネルギー生成システムに係るものである。
【００１４】
ここで、本発明において前記光触媒とは、光が照射されることにより、それ自体は変化しないが化学反応を促進する物質、活性化に光源を必要とする物質を意味する。
【発明の効果】
【００１５】
本発明の燃料改質器及び電気化学エネルギー生成システムによれば、前記光源から照射される光によって活性化する前記光触媒を用いて、前記燃料を触媒的に分解して水素を取り出すので、上述した従来例による改質装置のように、改質触媒の活性化に熱源を必要とするのに比べ、エネルギーのロスを大幅に低減することができる。また、前記光源は、必要量に応じて電気的なオン−オフが可能であり、熱エネルギーのようにエネルギー（熱）伝達が遅れることがないので、起動性及び制御性に優れている。さらに、前記光源は特に隔離壁などを必要としないので、装置の小型化を図ることができる。
【発明を実施するための最良の形態】
【００１６】
本発明において、前記光源は、前記触媒層と非接触状態、又は接触若しくは近接状態で設置されていることが好ましい。
【００１７】
具体的には、筐体内に前記触媒層が配置され、前記筐体の壁部又は光透過性の壁部外に前記光源が設置されていることが好ましい。或いは、筐体内に前記触媒層が配置され、前記触媒層と接触若しくは近接して前記筐体内に前記光源が設置されていることが好ましい。
【００１８】
また、本発明に基づく燃料改質器が、電気化学デバイスに接続され、前記触媒層から導出された水素が前記電気化学デバイスに供給されることが望ましい。
【００１９】
また、電気化学デバイス内の機能層に接して配され、前記触媒層から導出された水素が前記機能層に供給されるように構成してもよい。ここで、前記機能層とは、水素分解触媒層であるのが好ましい。
【００２０】
前記電気化学デバイスが、対向電極間にプロトン伝導体が挟持されてなることが好ましく、具体的には、前記電気化学デバイスが燃料電池として構成されているのが望ましい。
【００２１】
本発明において、前記光触媒としては、二酸化チタン（ＴｉＯ2）、酸化亜鉛（ＺｎＯ）、酸化タングステン（ＷＯ3）、酸化カドミウム（ＣｄＯ）、酸化インジウム（Ｉｎ2Ｏ3）、酸化銀（Ａｇ2Ｏ）、酸化マンガン（ＭｎＯ2）、酸化銅（Ｃｕ2Ｏ）、酸化鉄（Ｆｅ2Ｏ3）、酸化スズ（ＳｎＯ2）、酸化バナジウム（Ｖ2Ｏ5）、酸化ニオブ（Ｎｂ2Ｏ3）などの酸化物系半導体微粒子が挙げられる。また、硫化カドミウム（ＣｄＳ）、硫化亜鉛（ＺｎＳ）、硫化インジウム（Ｉｎ2Ｓ3）、硫化鉛（ＰｄＳ）、硫化銅（Ｃｕ2Ｓ）、硫化モリブデン（ＭｏＳ2）、硫化タングステン（ＷＳ2）、硫化アンチモン（Ｓｂ2Ｓ3）、硫化ビスマス（Ｂｉ2Ｓ3）などの硫化物系半導体微粒子が挙げられる。さらに、有機化合物を用いた金属錯体（例えばポルフィリン誘導体等）や有機高分子半導体が挙げられる。勿論、複数の異なる種類の光触媒微粒子からなる混合物を前記光触媒として用いることも可能である。また、白金を前記光触媒として使用できる可能性がある。
【００２２】
前記光源としては、紫外線源を用いるのが好ましい。前記紫外線源は、例えば太陽光、紫外線蛍光ランプ（水銀ランプ、キセノンランプ、ブラックライト、ＵＶ（紫外線）ランプ、冷陰極管、蛍光灯、タングステンランプ、ハロゲンランプ、メタルハライドランプなど）等が挙げられ、特に実験等においては紫外線蛍光ランプが使用されている。しかし、前記紫外線蛍光ランプは、それを設置するために比較的広い空間と場所を必要とし、狭い空間等に設置することが困難な場合がある。また、電力消費量も、終日使用される場合にはかなり多いものとなることがある。さらに、紫外線蛍光ランプであっても、それが放射する紫外線には人体に有害な遠紫外線が多く含まれることもあり、その具体的な適用場所等は限定される場合がある。
【００２３】
本発明者は上述したような問題点を解決すべく鋭意検討したところ、前記光源として発光ダイオード（ＬＥＤ：Light Emitting Diode）を用いれば、人体への影響が少なく、より小型化を図ることができ、また消費電力を低減することができることを初めて知見した。
【００２４】
ここで、前記発光ダイオードとは、電流を流すことによって発光する半導体発光素子を指し、ＰＮ接合に順方向電流を流して接合領域に少数キャリアを注入し、これらが多数キャリアと再結合する際に光エネルギーに変換されて発光することができる。
【００２５】
前記発光ダイオードは小さな発光素子であり、パイロットランプ或いはインジケータ等として、種々の発光表示に利用されている。そして、その発色光は一般に、ある程度のスペクトル範囲を有している。例えば、窒化ガリウム（ＧａＮ）系光半導体の結晶体をｐｎ接合することにより、青色光を発光する発光ダイオードを作製することができる。このような発光ダイオードの放射光には、近紫外領域の光、即ち紫外線も含まれる場合がある。紫外線は発光表示等の用途には不要なものであるため、一般には、ドーピング処理を適切に行うなどによって極力除くように努められている。しかし、本発明においては、前記発光ダイオードの放射光に含まれる近紫外線は不要なものではなく、前記光触媒の活性化に有効に利用でき、前記光触媒の活用を更に拡大することができる。
【００２６】
即ち、前記光源として前記発光ダイオードを用いれば、本発明に基づく燃料改質器及び電気化学エネルギー生成システムを、狭い場所等にも適用可能なよりコンパクトな構造とすることができる。また、消費電力を低減することができ、人体への影響も少ない。従って、太陽光等が当たらないような場所にも好適に用いることができ、本発明に基づく燃料改質器及び電気化学エネルギー生成システムの設置場所が限定されない。また、前記発光ダイオードは面発光が可能であり、前記光源としての光照射領域が広いので、前記触媒層全体に渡ってより均一な光照射を行うことができ、より効率的な燃料改質反応を行うことができる。
【００２７】
ここで、前記発光ダイオードに代えて、前記光源としてレーザーを用いてもよい。
【００２８】
次に、本発明の好ましい実施の形態を図面参照下に説明する。
【００２９】
図１（ａ）は、本発明に基づく燃料改質器の概略断面図である。
【００３０】
図１（ａ）に示すように、本発明に基づく燃料改質器１は、筐体２内に燃料３（例えばメタノールの水溶液）を触媒的に分解して水素４を取り出すための光触媒（例えば二酸化チタン（ＴｉＯ2））を含む触媒層５が配置され、筐体２の壁部に触媒層５を光照射する発光ダイオード等の光源６が設置されている。また、筐体２は、燃料供給部７、及び燃料３が触媒的に分解されることにより取り出された水素４を導出するための導出口８を備える。触媒層５は、前記光触媒の粒子の圧縮成形により容易に作製することができ、液体透過性の多孔体である。また、前記圧縮成形後に、整粒して液体透過性の多孔体を作製することも可能である。さらに、前記光触媒の粒子をバインダーによって結着して成膜してもよく、或いは、筐体２内に前記光触媒の粒子を充填してもよい。
【００３１】
また、本発明に基づく燃料改質器１は、図１（ｂ）に示すように、筐体２内に触媒層５が配置され、筐体２の壁部の少なくとも一部を光透過性とし、この壁部外に発光ダイオード等の光源６が設置されていてもよい。
【００３２】
さらに、本発明に基づく燃料改質器において、燃料供給部７及び導出口８の位置はそれぞれ、特に限定されない。例えば図１（ｃ）に示すように、筐体２において、燃料供給部７と触媒層５とが離れた位置に存在していてもよい。また、触媒層５が筐体２の壁部に一部非接触の状態で配置されていてもよい。
【００３３】
図１（ａ）、（ｂ）、（ｃ）に示すような本発明に基づく燃料改質器１はいずれも、前記光源から照射される光によって活性化する前記光触媒を用いて、前記燃料を触媒的に分解して水素を取り出すので、上述した従来例による改質装置のように、改質触媒の活性化に熱源を必要とするのに比べ、エネルギーのロスを大幅に低減することができる。また、前記光源は、必要量に応じて電気的なオン−オフが可能であり、熱エネルギーのようにエネルギー（熱）伝達が遅れることがないので、起動性及び制御性に優れている。さらに、前記光源は特に隔離壁などを必要としないので、装置の小型化を図ることができる。
【００３４】
また、光源６として発光ダイオードを用いれば、本発明に基づく燃料改質器１を、狭い場所等にも適用可能なよりコンパクトな構造とすることができる。また、消費電力を低減することができ、人体への影響も少ない。従って、太陽光等が当たらないような場所にも好適に用いることができ、本発明に基づく燃料改質器１の設置場所が限定されない。また、前記発光ダイオードは面発光が可能であり、光源としての光照射領域が広いので、触媒層５全体に渡ってより均一な光照射を行うことができ、より効率的な燃料改質反応を行うことができる。
【００３５】
一方、本発明に基づく燃料改質器は、図２（ａ）に示すように、筐体２内に触媒層５が配置され、触媒層５と近接して筐体２内に発光ダイオード等の光源６が設置されていてもよい。ここで、光源６は、図示省略したが触媒層５と接触して筐体２内に設置されていてもよい（以下、同様）。この場合、光源６からの光をより効果的に触媒層５に照射することができる。
【００３６】
また、図２（ｂ）に示すように、触媒層５及び光源６が筐体２の壁部と非接触の状態で配置されていてもよい。この場合、より効果的に燃料３を触媒層５に浸入させることができ、一層効率良く燃料改質反応を行うことができる。
【００３７】
図２（ａ）、（ｂ）に示すような本発明に基づく燃料改質器１もまた、前記光源から照射される光によって活性化する前記光触媒を用いて、前記燃料を触媒的に分解して水素を取り出すので、上述した図１（ａ）〜（ｃ）に示すような燃料改質器と同様の効果が奏せられる。
【００３８】
そして、図３に示すように、本発明に基づく電気化学エネルギー生成システム２９は、図１又は図２に示すような本発明に基づく燃料改質器１と、触媒層５から導出された水素４が供給される電気化学デバイス９とを有する。なお、電気化学デバイス９は燃料電池として構成されていることが好ましい。
【００３９】
前記電気化学デバイスとしての燃料電池９は、触媒１０及び１４をそれぞれ密着又は分散させた互いに対向する、端子１９及び２０付きの負極（燃料極又は水素極）１１及び正極（酸素極）１５を有し、これらの両極間にプロトン伝導体２８が挟着されたＭＥＡを有している。使用時には、負極１１側では導入口１６を通して燃料改質器１から取り出された水素４が供給され、排出口１７（これは設けないこともある。）から排出される。燃料（Ｈ2）４が流路１８を通過する間にプロトンを発生し、このプロトンはプロトン伝導体２８を通って正極１５側へ移動し、そこで導入口２１から流路２２に供給されて排気口２３へ向かう酸素（空気）２４と反応し、これにより所望の起電力が取り出される。
【００４０】
この燃料電池におけるＭＥＡ部（発電部）２５は、例えば図４に示すように、カーボンシート２６上に形成したガス拡散層２７に密着して設けた触媒層（水素分解触媒層、ガス拡散性触媒電極）１０からなる燃料極１１と、例えばカーボンシート１２上に形成したガス拡散層１３に密着して設けた触媒層（ガス拡散性触媒電極）１４からなる酸素極１５との間に、プロトン伝導体２８が挟持されてなるＭＥＡによって構成されていてよい。
【００４１】
このＭＥＡに用いるプロトン伝導体２８は、パーフルオロスルホン酸樹脂（例えばデュポン社製のナフィオン（登録商標））等を用いることができる。また、水素分解触媒としてパラジウム（Ｐｄ）、白金（Ｐｔ）、イリジウム（Ｉｒ）、ロジウム（Ｒｈ）、ルテニウム（Ｒｕ）等を使用することができる。
【００４２】
燃料改質器１に供給する液体燃料としては、メタノール以外にも、エタノール、プロパノール等のアルコールや、液体天然ガス等が使用可能である。また、燃料電池９の酸素極側には酸素、空気等の酸素含有ガスを供給することができる。
【００４３】
本発明に基づく電気化学エネルギー生成システム２９によれば、燃料改質器１が、光源６と、光源６から照射される光によって活性化する前記光触媒を含む触媒層５とを有し、燃料３を触媒的に分解して水素４を取り出すので、上述した従来例による改質装置のように、改質触媒の活性化に熱源を必要とするのに比べ、エネルギーのロスを大幅に低減することができる。また、光源６は、必要量に応じて電気的なオン−オフが可能であり、熱エネルギーのようにエネルギー（熱）伝達が遅れることがないので、起動性及び制御性に優れている。さらに、光源６は特に隔離壁などを必要としないので、システムの小型化を図ることができる。
【００４４】
また、光源６として発光ダイオードを用いれば、本発明に基づく燃料改質器１及び電気化学エネルギー生成システムを、狭い場所等にも適用可能なよりコンパクトな構造とすることができる。また、消費電力を低減することができ、人体への影響も少ない。従って、太陽光等が当たらないような場所にも好適に用いることができ、本発明に基づく燃料改質器１及び電気化学エネルギー生成システム２９の設置場所が限定されない。また、前記発光ダイオードは面発光が可能であり、光源としての光照射領域が広いので、触媒層５全体に渡ってより均一な光照射を行うことができ、より効率的な燃料改質反応を行うことができる。
【００４５】
図５は、他の実施の形態による本発明に基づく電気化学エネルギー生成システム２９の概略断面図である。
【００４６】
図５に示すように、本発明に基づく電気化学エネルギー生成システム２９は、燃料改質器１が燃料電池９内の負極１１側に接して配され、光源６からの光照射によって触媒層５から導出された水素が負極１１に供給される。そして、負極１１において、水素からプロトン（Ｈ+）が生成され、このプロトンはプロトン伝導体２８を通って正極１５側へ移動し、そこで導入口２１から流路２２に供給されて排気口２３へ向かう酸素（空気）２４と反応し、これにより所望の起電力が取り出される。
【００４７】
この場合、図４に示すような本発明に基づく電気化学エネルギー生成システムと同様の効果が奏せられると共に、燃料改質器１が燃料電池９内の負極１１側に接して配されているので、より小型化されたシステムを実現することができる。
【００４８】
以上、本発明を実施の形態について説明したが、上述の例は、本発明の技術的思想に基づき種々に変形が可能である。
【００４９】
例えば、前記光源は、前記触媒層と非接触状態、又は接触若しくは近接状態で設置されているのが好ましく、例えば、筐体内に前記触媒層が配置され、前記筐体の壁部又は光透過性の壁部外に前記光源が設置されているのが好ましい。或いは、筐体内に前記触媒層が配置され、前記触媒層と接触若しくは近接して前記筐体内に前記光源が設置されていてもよい。
【００５０】
また、本発明に基づく燃料改質器の前記筐体において、前記触媒層、前記燃料供給部及び前記水素の導出口の位置はそれぞれ、適宜選択可能である。また、本発明に基づく燃料改質器及び電気化学エネルギー生成システムの形状、材質等も適宜選択可能である。
【図面の簡単な説明】
【００５１】
【図１】本発明の実施の形態による、本発明に基づく燃料改質器の一例の概略断面図である。
【図２】同、本発明に基づく燃料改質器の他の例の概略断面図である。
【図３】同、本発明に基づく電気化学エネルギー生成システムの一例の概略断面図である。
【図４】同、本発明に基づく電気化学エネルギー生成システムを構成する電気化学デバイス（燃料電池）の概略断面図である。
【図５】同、本発明に基づく電気化学エネルギー生成システムの他の例の概略断面図である。
【図６】従来例による、熱によって活性化する触媒により形成された触媒層と、熱源とを有する燃料改質装置の概略図である。
【符号の説明】
【００５２】
１…燃料改質器、２…筐体、３…燃料、４…水素、５…触媒層、６…光源、
７…燃料供給部、８…導出口、９…燃料電池、１０、１４…触媒層、１１…燃料極、
１２、２６…カーボンシート、１３、２７…ガス拡散層、１５…酸素極、
２４…酸素（空気）、２５…発電部（ＭＥＡ部）、２８…プロトン伝導体、
２９…電気化学エネルギー生成システム
【図１】
2005343716.tif 000003
【図２】
2005343716.tif 000004
【図３】
2005343716.tif 000005
【図４】
2005343716.tif 000006
【図５】
2005343716.tif 000007
【図６】
2005343716.tif 000008